(57)【要約】      （修正有）【課題】注射液用アンプルに貼るラベルにおいて、注射液の名称、患者の名前などの部分が剥離できるようにした剥離部片を設け、アンプルを開封して注射液を注射器にとった後に、その剥離部片を直ちにその注射器に貼付することにより、誤って入院中の同室内の他の患者に、他人用の注射を施すという事故を防止し、さらにはアンプルの転動防止となる貼着ラベルを得ることを目的とする。【解決手段】再剥離貼着層を裏面に有する剥離部片基体を設け、この剥離部片基体の上に、粘着屠を裏面に有するラベル本体が重層化して構成され、ラベル本体を貫通する切り取り線を剥離部片基体の外周に沿って施こすことによって剥離部片を設けたことを特徴とする貼着ラベル、剥離部片に傾止片を一体的に設けたことを特徴とする前記記載の貼着ラベル。【選択図】図１
0003105885.tif 000002
【実用新案登録請求の範囲】
【請求項１】
再剥離貼着層を裏面に有する剥離部片基体を設け、この剥離部片基体の上に、粘着層を裏面に有するラベル本体が重層化して構成され、ラベル本体を貫通する切り取り線を剥離部片基体の外周に沿って施こすことによって剥離部片を設けたことを特徴とする貼着ラベル。
【請求項２】
剥離部片に傾止片を一体的に設けたことを特徴とする請求項１記載の貼着ラベル。
【請求項３】
剥離部片基体がポリエステル系の合成紙であることを特徴とする請求項１または請求項２のいずれかに記載の貼着ラベル。
【請求項４】
剥離部片の切り取り線がラベル本体の端縁内に位置するようにしたこと特徴とする請求項１乃至請求項３のいずれかに記載の貼着ラベル。
【請求項５】
セパレータ上に貼り付けたこと特徴とする請求項１乃至４のいずれかに記載の貼着ラベル。
【請求項６】
請求項１乃至請求項５のいずれかに記載の貼着ラベルを貼り付けたこと特徴とする医薬容器。
【請求項７】
請求項６記載の医薬容器に収容された医薬製剤。
【考案の詳細な説明】
【技術分野】
【０００１】  この考案は、アンプルなどに貼り付ける貼着ラベルに関するものである。
【背景技術】
【０００２】  通常、病院で、同室する入院患者に注射をするときには、予め数人の患者用に看護師室（ナースステーション）において、各患者用の注射液の入ったアンプルから、各人用の注射器にそれぞれの注射液をとって注射の準備をし、いっしょに運搬車に載せて、同室する患者の室に運び、各患者に注射をすることが行われているが、そこで問題となることは誤って患者に他人用の注射を施す事故が発生することである。一方、アンプル自体は管瓶体であることから、手許や机上面などから落下したときにおいて、とくにその枝部先端、アンプル底部のガラス肉厚の薄い部分、およびワンポイントマーク付近のイージーカット部分が破瓶し易く、また破瓶したときには、ガラス片の飛散が著しい。これらのアンプルの転動を防止するようにしたものとして、本件出願人が出願した特開２００１−２２２２２４号公報に示す「転動防止ラベルおよびそれを貼り付けたアンプル」の発明がある。
【考案の開示】
【考案が解決しようとする課題】
【０００３】  この考案は、注射液が封入されるアンプルに貼るラベルにおいて、注射液の名称および／またはその患者の名前を表示した部分が剥離できるようにした剥離部片を設けることによって、アンプルを開封して注射液を注射器にとった後に、その剥離部片を直ちにその注射器に貼付することにより、誤って入院中の同室内の他の患者に、他人用の注射を施すという事故を防止し、さらにはアンプルの転動防止となる貼着ラベルを得ることを目的とするものである。
【課題を解決するための手段】
【０００４】  再剥離貼着層（ａ）を裏面に有する剥離部片基体（１’）を設け、この剥離部片基体（１’）の上に、粘着層（ｂ）を裏面に有するラベル本体（２）が重層化して構成され、ラベル本体（２）を貫通する切り取り線（ｍ）を剥離部片基体（１’）の外周に沿って施こすことによって剥離部片（１）を設けたことを特徴とする貼着ラベル（Ｒ）、剥離部片（１）に傾止片（１ａ）を一体的に設けたことを特徴とする前記記載の貼着ラベル（Ｒ）、剥離部片基体（１’）がポリエステル系の合成紙であることを特徴とする前記記載の貼着ラベル（Ｒ）、剥離部片（１）の切り取り線（ｍ）がラベル本体（２）の端縁内に位置するようにしたこと特徴とする前記記載の貼着ラベル（Ｒ）、セパレータ（ｓ）上に貼り付けたこと特徴とする前記記載の貼着ラベル（Ｒ）、前記記載の貼着ラベル（Ｒ）を貼り付けたこと特徴とする医薬容器、および前記記載の医薬容器に収容された医薬製剤の構成とする。
【考案の効果】
【０００５】  この考案の貼着ラベル（Ｒ）はアンプルから注射液を注射器にとるときに、剥離部片（１）の傾止片（ａ）を摘んで切り取り線（ｍ）に沿ってそれを剥がし、その裏面に施されている再剥離粘着剤層（ａ）によって注射器のシリンダ外側などに貼る。この剥離部片（１）にはラベル（Ｒ）に記載してある注射液名および／または、それを施す患者の名前記載欄が設けられており、注射器に貼付したときに、直ちに注射液名および／またはそれを施す患者の名前が分かるので、誤って他の患者用の注射をすることは無くなる。さらにこの剥離部片（１）は、注射器から剥がして輸液バッグに再貼付したり、注射液使用後の管理用として、カルテに再貼付してカルテを整理するのに再利用することもできる。そして貼着ラベル（Ｒ）の残った部分はアンプルにそのまま残存するので、剥離部片（１）を切り取った後に、貼着ラベル（Ｒ）にも注射液名の記載欄が残ることとなり、これは薬事法で規定するある種の薬液の事後の管理に役立つものである。また前述の傾止片（ａ）はアンプルに貼った状態のときは、アンプルが治療台などの上で転動するのを防止する。
【考案を実施するための最良の形態】
【０００６】  注射液が封入されるアンプルに貼るラベルに、注射液の名称および／またはその患者の名前を表示した剥離部片を設けることによって、アンプルを開封して注射液を注射器にとった後に、その剥離部片を直ちにその注射器に貼付することにより、誤って入院中の同室内の他の患者に、他人用の注射を施すという事故を防止し、さらにはアンプルの転動防止となる貼着ラベルである。
【実施例１】
【０００７】  図１はこの考案の貼着ラベル（Ｒ）の表面図であり、その一部に剥離部片（１）が設けてある。これは図２に示すように、セパレータ（ｓ）上にその裏面に再剥離粘着剤層（ａ）を有する剥離部片基体（１’）を設け、この剥離部片基体（１’）の上に、裏面に粘着剤層（ｂ）を有するラベル本体（２）が重層化して構成され、ミシン目などによる切り取り線（ｍ）が施されて剥離部片（１）となっている。なおこの剥離部片（１）には傾止片（１ａ）が一体的に設けてある。（ｋ），（ｋ’）は切り込みである。図３は剥離部片基体（１’）に該当するラベル本体（２）の粘着剤層（ｂ）において、糊殺し部分を設けた状態を説明するもので、傾止片（１ａ）と、それに繋がる剥離部片基体（１’）の図示、上下の部分にある黒点表示部分の粘着剤層（ｂ）を不活性化層（ｂ’）とするとか、またはその部分に遮蔽層を設けることにより、非接着部分となる。そしてこの剥離部片基体（１’）の上下の糊殺し部分の不活性化層（ｂ’）のほぼ中心をよぎって前記の切り取り線（ｍ）が施されている。図４は図１のＡ−Ａ線断面において各層の重複状態を模型的に拡大して示す図である。【０００８】  ここで予め注射にあたり、アンプルから注射液を注射器にとるときに、傾止片（１ａ）を摘んで切り取り線（ｍ）を用いて剥離部片（１）を剥がし、その裏面に施されている再剥離粘着剤層（ａ）によって注射器のシリンダ外側などに貼る。その際、再剥離粘着剤層（ａ）の粘着力は、ラベル本体（２）の粘着剤層（ｂ）の粘着力に比べて弱くしてあり、これによって剥離部片（１）は剥がれ易く、ラベル本体（２）は剥がれ難く、またラベル本体（２）を故意に剥がすことは困難となる。剥離部片（１）には貼着ラベル（Ｒ）に記載してある注射液名および／または、それを施す患者の名前記載欄［必要に応じ、薬品名を記号化して表示（バーコードなど）した記載］が設けられており、注射器に貼付したときに、直ちに注射液名および／またはそれを施す患者の名前が分かるので確認でき、誤って他の患者用の注射をすることはなくなる。【０００９】  さらにこの剥離部片（１）は注射器から剥がして輸液バッグに再貼付したり、注射液使用後の管理用として、カルテに再貼付して整理するのに再利用することもできる。貼着ラベル（Ｒ）の残った部分はアンプルにそのまま残存する。これによって剥離部片（１）を切り取った後に、貼着ラベル（Ｒ）にも注射液名の記載欄が残ることとなる。これは薬事法で規定するある種の薬液の事後の管理にも役立つこととなる。また前述の傾止片（１ａ）はアンプルに貼った状態のときは、アンプルを机上、治療台上、または手許などに置いた際の転動を防止する。この傾止片（１ａ）の形状はアンプルが転動した場合、転動を防止するような翼状の形状が好ましい。剥離部片基体（１’）はポリエステル系の合成紙、ラベル本体（２）の材質はアート紙を用いるとよい。また図１に示すように剥離部片（１）の端縁（ｃ）がラベル本体（２）の上側端縁（ｄ）に位置しないようにすること、すなわち前記上側端縁（ｄ）の内側に位置することにより形を整え、剥離部片（１）をアンプルに貼付け後、それが剥がれることを防止すると共に、貼着ラベル（Ｒ）全体の製作・製造にあたり作業が容易となる。
【産業上の利用可能性】
【００１０】  この考案は、貼着ラベル（Ｒ）の剥離部片（１）を、予め注射にあたり、アンプルから注射液を注射器にとるときに、その傾止片（１ａ）を摘んで切り取り線（ｍ）を用いて剥がし、その裏面に施されている再剥離剤接着層（ａ）によって注射器のシリンダ外側などに貼る。その際、この剥離部片（１）に貼着ラベル（Ｒ）に記載してある注射液名および／またはそれを施す患者の名前記載欄などが設けられているので、注射器に貼ったときに、直ちに注射液名および／またはそれを施す患者の名前が分かり、それらを容易に確認でき、それによって誤って他の患者用の注射をすると云うような事故は無くなり、病院などにおける治療による過誤を防止することができる。さらにこの剥離部片（１）は注射器から剥がして輸液バックに再貼付したり、注射液使用後の管理用として、カルテに再貼付してカルテを整理するのに再利用することもできるので、病院などの治療あるいは事務上の管理に役立つものである。さらにまた貼着ラベル（Ｒ）の残った部分はアンプルにそのまま残存し、これによって剥離部片（１）を切り取った後にも、貼着ラベル（Ｒ）にも注射液名の記載欄が残っているので、薬事法で規定し、必要とするある種の薬液の事後の管理にも役立つこととなる。またその傾止片（１ａ）はアンプルに貼った状態のときは、アンプルが治療台などの上で転動するのを防止して、アンプル落下や破損による事故を回避する。この考案の貼着ラベル（Ｒ）を貼り付けた医薬容器、およびそれに収容された医薬製剤は、昨今問題の医薬製剤の誤用（メディケーションエラー）を防止することに役立つものである。
【図面の簡単な説明】
【００１１】
【図１】この考案の貼着ラベルの平面図。
【図２】この考案の貼着ラベルの下層にある剥離部片基体を示す図。
【図３】図２の剥離部片基体が該当するラベル本体の粘着剤層における糊殺し部分を示す図。
【図４】図１のＡ−Ａ線断面を模型的に拡大して示す図。
【符号の説明】
【００１２】  （Ｒ）    貼着ラベル
（１）    剥離部片
（１’）  剥離部片基体
（１ａ）  傾止片
（２）    ラベル本体
（ａ）    再剥離粘着剤層
（ｂ）    粘着剤層
（ｂ’）  不活性化層
（ｃ）    端縁
（ｄ）    上側端縁
（ｋ），（ｋ’）  切り込み
（ｍ）    切り取り線
（ｓ）    セパレータ
【図１】
0003105885.tif 000003
【図２】
0003105885.tif 000004
【図３】
0003105885.tif 000005
【図４】
0003105885.tif 000006